(57)【特許請求の範囲】
【請求項１】
編目生地を用いた第１の生地部と第２の生地部とを重ねて一体成形することで形成される２重構造部を有する編目生地の開口部構造の製造方法であって、
前記２重構造部の位置までメリヤス編みで形成し、前記２重構造部の前記第１の生地部と前記第２の生地部を袋編みによって造り、しかも前記第１の生地部と前記第２の生地部に開口部をそれぞれ形成するため前記袋編みの途中にそれぞれ抜き糸を用いて編み、前記２重構造部を形成した後、前記抜き糸を引抜き、前記第１の生地部と前記第２の生地部の異なる位置に前記開口部をそれぞれ設けることを特徴とする編目生地の開口部構造の製造方法。
【発明の詳細な説明】
【０００１】
【発明の属する技術分野】
本発明は、ストッキング（例えば、パンティストッキング、スポーツ用靴下等）、手袋、配管の端部を塞ぐ閉塞部材等に用いられ伸縮性を有する編目生地の開口部構造の製造方法に関する。
【０００２】
【従来の技術】
従来、編目生地を適用したストッキングの一例であるパンティストッキングは特開平８−２７６０２号公報に記載のように、例えば女性等の脚線を美しく装うため、つま先部からパンティ部まで一連となって製造されている。
また、防寒用又は作業用に使用され編目生地を適用した手袋については、外気が手にあたらないように、袋状となっている。しかし、指先部を開口させることで、例えば指先を使う細かい作業を行い易くした手袋もある。
そして、配管の端部を塞ぐ閉塞部材については、配管内部のものが配管の端部から外部へと流出しないように、配管の端部に編目生地を用いた閉塞部材を配置した後、紐等を用いてこの閉塞部材を配管にしっかりと固定している。
【０００３】
【発明が解決しようとする課題】
しかしながら、上記した編目生地を適用したストッキング、手袋、配管の端部を塞ぐ閉塞部材には以下の問題がある。
まず、着用物の一例であるストッキングについては、健康診断や足の治療を行う場合、被着用物の一例である脚又は足の診察や治療を受けるため、その都度ストッキングを脱がなければならないので作業性が良好でない。
また、一時的に例えば海やプール等の水につかる場合でも、ストッキングが水に濡れることを防ぐため、その都度ストッキングを脱がなければならないので手間がかかる。ここで、例えばストッキングを脱がずに、脚又は足に水がかかりストッキングが濡れた場合、ストッキングの着用者は不快感を覚え、しかも衛生上好ましくない。
次に、着用物の一例である手袋については、被着用物の一例である指先を使って細かい作業を行う場合、その都度手袋を外す必要があり、作業性が良好でない。また、指先部が開口した手袋を着用しているときに、作業内容によって開口部のない袋状の手袋が必要となった場合、予め２種類の手袋（開口部のない手袋と、指先部が開口した手袋）を用意していなければならないので経済性が良好でない。そして、取外した手袋を放置した場合、手袋の一方、又は両方を紛失する可能性もある。
更に、被着用物の一例である配管の端部を塞ぐ着用物の一例である閉塞部材については、端部が塞がれた配管に更に別の配管を継ぎ足す場合、配管の端部を塞ぐ閉塞部材を除去するため、閉塞部材を配管に固定している固定物、例えば紐等を除去する必要があり、取外しの作業性が良好でない。
本発明はかかる事情に鑑みてなされたもので、着用物を完全に被着用物から取外すことなく、着用物に形成された開口部から被着用物を突出させるため、作業性が良好で、しかも短時間に着用物を着用時の状態に戻すことが可能な編目生地の開口部構造の製造方法を提供することを目的とする。
【０００４】
【課題を解決するための手段】
【０００５】
【０００６】
前記目的に沿う本発明に係る編目生地の開口部構造の製造方法は、編目生地を用いた第１の生地部と第２の生地部とを重ねて一体成形することで形成される２重構造部を有する編目生地の開口部構造の製造方法であって、２重構造部の位置までメリヤス編みで形成し、２重構造部の第１の生地部と第２の生地部を袋編みによって造り、しかも第１の生地部と第２の生地部に開口部をそれぞれ形成するため袋編みの途中にそれぞれ抜き糸を用いて編み、２重構造部を形成した後、抜き糸を引抜き、第１の生地部と第２の生地部の異なる位置に開口部をそれぞれ設ける。これにより、２重構造部でない部分から２重構造部へと編み進める場合、及び２重構造部から２重構造部でない部分へと編み進める場合においては、途中で編みを中断することなく、一連の製品として編み続けることが可能となる。
【０００７】
【発明の実施の形態】
続いて、添付した図面を参照しつつ、本発明を具体化した実施の形態につき説明し、本発明の理解に供する。
ここに、図１（Ａ）、（Ｂ）はそれぞれ本発明の一実施の形態に係る編目生地の開口部構造の側断面図、平面図、図２（Ａ）、（Ｂ）はそれぞれ同編目生地の開口部構造に適用されるメリヤス編みの表側、裏側の説明図、図３（Ａ）、（Ｂ）はそれぞれ同編目生地の開口部構造に適用される袋編みの表側、裏側の説明図、図４（Ａ）、（Ｂ）はそれぞれ同編目生地の開口部構造に適用される抜き糸を用いた袋編みの表側、裏側の説明図、図５（Ａ）、（Ｂ）はそれぞれ同編目生地の開口部構造を適用したストッキングの側断面図、底面図、図６（Ａ）、（Ｂ）はそれぞれ同編目生地の開口部構造を適用した手袋の平面図、側断面図、図７（Ａ）、（Ｂ）はそれぞれ同編目生地の開口部構造を適用した配管の開口部の閉塞部材の側面図、正面図である。
【０００８】
図１（Ａ）、（Ｂ）に示すように、本発明の一実施の形態に係る編目生地の開口部構造は、編目生地を用いた第１の生地部の一例である上層生地部１０と第２の生地部の一例である下層生地部１１とを重ねて一体成形することで形成される２重構造部１２を有している。また、この２重構造部１２の上層生地部１０と下層生地部１１には平面視して異なる位置に開口部１３、１４がそれぞれ設けられている。以下、詳しく説明する。
編目生地を構成する原糸は、例えばしん糸に紡績糸又はフィラメント糸をコイル状に巻き付けた被覆弾性糸（カバードヤーン：ｃｏｖｅｒｅｄ  ｙａｒｎ）、弾性糸、綿糸、化学繊維糸等の伸縮性を有する糸である。
【０００９】
２重構造部１２を構成する上層生地部１０と下層生地部１１にそれぞれ形成された開口部１３、１４は、同一方向に裂け目を有しているため、実質的に平行に配置されている。また、この開口部１３の長さＶ、開口部１４の長さＷは、編目生地の伸縮性を考慮して、開口部１３、１４が破れることなく、被着用物（図示しない）を開口部１３、１４から突出させることが可能であるならば、それぞれ使用用途に応じて例えば１〜１０ｃｍ程度とすることが好ましい。なお、開口部１３、１４の大きさは、開口部１３、１４から被着用物を突出させることが可能であるならば、使用用途を考慮して実質的に同じ大きさ、又は異なる大きさにすることも可能である。
そして、開口部１３、１４は、例えば上層生地部１０に形成された開口部１３が、下層生地部１１に形成された開口部１４と所定の距離Ｄを開け、しかも実質的に平行となるように形成されている。これにより、２重構造部１２を有する編目生地を用いた着用物を被着用物に着用させた場合、伸縮性を有する編目生地が伸び、上層生地部１０に形成された開口部１３が僅かに開き、開口部１３から被着用物が直視できたとしても、下層生地部１１により被着用物を覆い隠すことが可能となる。従って、開口部１３、１４間の距離Ｄは、被着用物の直視を防ぐこと、編目生地の伸縮性、開口部１３、１４の大きさ等を考慮して、例えば０．５〜１０ｃｍ程度とすることが好ましい。
【００１０】
続いて、本発明の一実施の形態に係る編目生地の開口部構造の製造方法について説明する。
図１〜図４に示すように、本発明の一実施の形態に係る編目生地の開口部構造の製造方法は、編目生地を用いた第１の生地部の一例である上層生地部１０と第２の生地部の一例である下層生地部１１とを重ねて一体成形することで形成される２重構造部１２を有するように製造する方法である。また、この製造方法は、２重構造部１２を構成する上層生地部１０と下層生地部１１を周知の袋編みによって造り、しかも上層生地部１０と下層生地部１１に開口部１３、１４をそれぞれ形成するため袋編みの途中にそれぞれ抜き糸１５を用いて編み、２重構造部１２を形成した後、抜き糸１５を引抜き、上層生地部１０と下層生地部１１の異なる位置に開口部１３、１４をそれぞれ設ける方法である。以下、詳しく説明する。
【００１１】
図２（Ａ）、（Ｂ）に示すように、まず、編目生地はメリヤス編みにより編み進める。従って、表側は、実質的にＵ字状となったＵ字部１６の端部が、上下対称となって連接した形状となっており、しかもＵ字部１６の曲線部１７が、連接するＵ字部１６の直線部１８の後（裏）側に配置されている。このため、外見上、編目生地の模様は、一端側から他端側へと（この実施の形態では上下方向）Ｕ字部１６が直線的な形状で形成されているように確認できる（図２（Ａ）参照）。一方、裏側は、Ｕ字部１６の直線部１８が、Ｕ字部１６の曲線部１７の後（裏）側に配置されているため、外見上、編目生地の模様は一端側から他端側へと（この実施の形態では左右方向）波状の形状が形成されているように確認できる（図２（Ｂ）参照）。
次に、図３（Ａ）、（Ｂ）を参照しながら、袋編みについて説明する。
袋編みとは、基本的にメリヤス編みと編み方が同じであり、原糸を往復（この実施の形態では左右方向）させることで袋状に編む編み方である。
【００１２】
図３（Ａ）に示すように、一端側から他端側（この実施の形態では下側から上側）へと、前記したメリヤス編みから袋編みに移行する。このとき、他端側の袋編みでは、一端側で行ったメリヤス編みの編目を全て編むことなく、１列おきに一方向（この実施の形態では右方向）へと編み進める。これにより、下層生地部１１が形成されることとなる。次に、一方向への編みが終了した後、他方向（この実施の形態では左方向）に先程編んでいない編目をメリヤス編みすることで上層生地部１０を形成する。従って、他方向にメリヤス編みを行うことで、裏側の編目生地の模様は、一端側から他端側（この実施の形態では下側から上側）にかけて、波状の形状からＵ字部１６が直線的な形状で形成された模様へと移行する（図３（Ｂ）参照）。
このように、袋編みは基本的にメリヤス編みと編み方が同じであるため、上層生地部１０と下層生地部１１とが向き合う面の編目生地の模様、即ち波状の模様は、図２（Ｂ）と実質的に同様になる。一方、上層生地部１０と下層生地部１１とが向き合う面の反対側の面の模様、即ち袋編みのＵ字部１６が直線的な形状で形成された模様は、図２（Ａ）と実質的に同様になる。
【００１３】
図４（Ａ）、（Ｂ）を参照しながら、上層生地部１０と下層生地部１１に開口部１３、１４をそれぞれ形成するために使用する抜き糸の編み方について説明する。なお、抜き糸の編み方は、上層生地部１０と下層生地部１１のどちらも同じであるため、上層生地部１０についてのみ説明する。
まず、開口部１３を形成する位置まで、上層生地部１０の袋編みを行う。次に、図４（Ａ）に示すように、抜き糸１５を用いて引き続きメリヤス編みを行う。これにより、上層生地部１０の模様は、抜き糸１５も含めて、一端側から他端側へと（この実施の形態では上下方向）Ｕ字部１６が直線的な形状で形成された模様となる。一方、下層生地部１１では、図４（Ｂ）に示すように、抜き糸１５は下層生地部１１の編目に引っ掛けるだけの編み方、即ち抜き糸１５が形成するＵ字部１９の直線部２０の端部が、一端側から他端側（この実施の形態では左右方向）へと直線的に繋がるような編み方となっている。
【００１４】
上層生地部１０から下層生地部１１へと袋編みを進める転換点まで、抜き糸１５を用いたメリヤス編みを行ったら、再び開口部１３を形成する位置まで使用していた糸を用いて、下層生地部１１の袋編みを行う。
そして、上記した方法により、２重構造部１２を形成した後、抜き糸１５を引抜くことで、編み進める方向（この実施の形態では左右方向）のメリヤス編み部分が無くなるため、上層生地部１０と下層生地部１１の異なる位置に開口部１３、１４がそれぞれ設けられる。なお、開口部１３、１４の周辺部のほつれ等を考慮すれば、抜き糸１５を引抜く前に、例えば開口部１３、１４の周辺部を予めかがり編みし、その後、抜き糸１５を引抜くことが好ましい。
【００１５】
次に、本発明の一実施の形態に係る編目生地の開口部構造を適用したストッキング２１について説明するが、編目生地の開口部構造は、前記した一実施の形態に係る編目生地の開口部構造と同一で大きさのみが異なるため、同一の番号を付し詳しい説明を省略する。
図５（Ａ）、（Ｂ）に示すように、本発明の一実施の形態に係る編目生地の開口部構造を適用したストッキング２１は、ストッキング２１の裏側部分のつま先側に２重構造部１２が形成されたものである。なお、この２重構造部１２は、足を開口部１３、１４から出し易くするため、足の指のつけ根近傍に設けることが好ましい。
【００１６】
ストッキング２１を構成する原糸は、例えば被覆弾性糸や弾性糸等の伸縮性を有する糸である。
また、ストッキング２１に形成される２重構造部１２の開口部１３、１４は、ストッキング２１の足の幅方向に裂け目を有し、足の長手方向の異なる位置に形成されている。従って、足にストッキング２１を着用させることで、伸縮性を有するストッキング２１は伸び、上層生地部１０に設けられた開口部１３が僅かに開き、開口部１３から足が直視できたとしても、下層生地部１１により足を覆い隠すことが可能となるため、ストッキング２１は外観性に優れたものとなる。
なお、この実施の形態では、開口部１３、１４の長さを実質的に同じ大きさにし、開口部１３、１４の長さＡを、２重構造部１２を形成する部分の足の平均幅Ｂの例えば１／３〜３／４程度とすることが好ましい。
【００１７】
ここで、本発明の一実施の形態に係る編目生地の開口部構造を適用したストッキング２１の製造方法について説明する。
ストッキング２１は、２重構造部１２の位置まで、従来公知の方法、例えば丸編み機等を用いてメリヤス編みで製造し、２重構造部１２の部分のみを、上記した袋編みにより形成する。
これにより、開口部１３、１４を有する２重構造部１２が形成されたストッキング２１を、機械を用いて容易に製造することが可能となる。
【００１８】
続いて、本発明の一実施の形態に係る編目生地の開口部構造を適用した手袋２２について説明するが、編目生地の開口部構造は、前記した一実施の形態に係る編目生地の開口部構造と同一で大きさのみが異なるため、同一の番号にａを付し詳しい説明を省略する。
図６（Ａ）、（Ｂ）に示すように、本発明の一実施の形態に係る編目生地の開口部構造を適用した手袋２２は、手袋２２の指先側に２重構造部１２ａが形成されたものである。ここで、この２重構造部１２ａは、指先を開口部１３ａ、１４ａから出し易くするため、指先側の間接近傍、即ち第１間接近傍、又は第１間接よりも少し指先側に設けることが好ましい。なお、手袋２２は、開口部１３ａ、１４ａから指先を出し易くしているため、指先を出す必要がない危険な作業に使用する軍手には、２重構造部１２ａを形成しないことが好ましい。
【００１９】
手袋２２を構成する原糸は、例えば綿糸や化学繊維等の伸縮性を有する糸である。なお、手袋２２の指先側に形成される２重構造部１２ａのごわつき等を考慮すれば、上層生地部１０ａの原糸を、弾力性のある極細の別糸で製造することが好ましい。これにより、指先側の２重構造部のごわごわとした違和感を解消することが可能となる。
また、手袋２２に形成される２重構造部１２ａは手の平側に形成され、しかも２重構造部１２ａの開口部１３ａ、１４ａは、手袋２２の指の幅方向に裂け目を有し、指の長さ方向の異なる位置に形成されている。従って、手に手袋２２を着用させることで、伸縮性を有する手袋２２は伸び、上層生地部１０ａに設けられた開口部１３ａが僅かに開き、開口部１３ａから指（図示しない）が直視できたとしても、下層生地部１１ａにより指を覆い隠すことが可能となるため、外観性、機能性、作業性に優れたものとすることが可能となる。
この実施の形態では、開口部１３ａ、１４ａの長さを実質的に同じ大きさにし、開口部１３ａ、１４ａの長さＸを、指の幅Ｙの例えば１／２〜４／５程度とすることが好ましい。
【００２０】
ここで、本発明の一実施の形態に係る編目生地の開口部構造を適用した手袋２２の製造方法について説明する。
手袋２２においては、２重構造部１２ａの位置まで、従来公知の方法を用いてメリヤス編みで形成し、２重構造部１２ａの部分のみを、上記した袋編みにより製造する。なお、上層生地部１０ａは、前記した別糸で編むことが好ましい。
これにより、開口部１３ａ、１４ａを有する２重構造部１２ａが形成された手袋２２を、機械を用いて容易に製造することが可能となる。
【００２１】
本発明の一実施の形態に係る編目生地の開口部構造を適用した配管２３の端部の閉塞部材について説明するが、編目生地の開口部構造は、前記した一実施の形態に係る編目生地の開口部構造と同一で大きさのみが異なるため、同一の番号にｂを付し詳しい説明を省略する。
図７（Ａ）、（Ｂ）に示すように、本発明の一実施の形態に係る編目生地の開口部構造を適用した配管２３の端部の閉塞部材２４は編目生地を用い、その中央部には、例えば平面視して矩形状（例えば、正方形）の２重構造部１２ｂが形成されている。従って、この閉塞部材２４を配管２３の端部に設置する場合、閉塞部材２４の編目生地に形成された２重構造部１２ｂが、配管２３の切り口に位置されるように閉塞部材２４を配置する。次に、配管２３の切り口に位置する以外の部分の閉塞部材２４を配管２３に巻付け、固定具の一例である紐２５を用いて、配管２３に巻きつけられた閉塞部材２４を縛り、閉塞部材２４を配管２３に固定する。
なお、閉塞部材２４に用いる編目生地を構成する原糸は、例えば綿糸や化学繊維等の伸縮性を有する糸である。
【００２２】
このように、閉塞部材２４を配管の端部に配置することで、配管２３の内部から流出するもの、例えば石や砂等は、例え上層生地部１０ｂに設けられた開口部１３ｂから流出しても、下層生地部１１ｂで流出することを防ぐことが可能となる。また、配管２３に更に別の配管２３ａを配設する場合、閉塞部材２４を配管２３に縛りつけた紐２５を除去することなく、開口部１３ｂ、１４ｂから瞬時に配管２３の端部を突出させることが可能となるため、作業性に優れたものとすることが可能となる。
この実施の形態では、開口部１３ｂ、１４ｂの長さを実質的に同じ大きさにし、開口部１３ｂ、１４ｂの長さＭを、配管２３の直径Ｎの例えば１／３〜３／４程度とすることが好ましい。
【００２３】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。
また、前記実施の形態においては、開口部が形成された２重構造部が、手袋の手の平側の指先側に形成された場合について示したが、手袋の手の甲側の指先側に形成することも可能である。
【００２４】
【発明の効果】
【００２５】
【００２６】
請求項１記載の編目生地の開口部構造の製造方法においては、２重構造部でない部分から２重構造部へと編み進める場合、及び２重構造部から２重構造部でない部分へと編み進める場合において、途中で編みを中断することなく、一連の製品として編み続けることが可能となる。従って、２重構造部を形成する第１の生地部と第２の生地部とが分離する可能性がなくなるため、安定した品質を有する編目生地の開口部構造を提供することが可能となる。また、被着用物が例えば手や足の場合、２重構造部と２重構造部でない部分の境界部の段差で発生する違和感を低減することが可能となる。
【図面の簡単な説明】
【図１】（Ａ）、（Ｂ）はそれぞれ本発明の一実施の形態に係る編目生地の開口部構造の側断面図、平面図である。
【図２】（Ａ）、（Ｂ）はそれぞれ同編目生地の開口部構造に適用されるメリヤス編みの表側、裏側の説明図である。
【図３】（Ａ）、（Ｂ）はそれぞれ同編目生地の開口部構造に適用される袋編みの表側、裏側の説明図である。
【図４】（Ａ）、（Ｂ）はそれぞれ同編目生地の開口部構造に適用される抜き糸を用いた袋編みの表側、裏側の説明図である。
【図５】（Ａ）、（Ｂ）はそれぞれ同編目生地の開口部構造を適用したストッキングの側断面図、底面図である。
【図６】（Ａ）、（Ｂ）はそれぞれ同編目生地の開口部構造を適用した手袋の平面図、側断面図である。
【図７】（Ａ）、（Ｂ）はそれぞれ同編目生地の開口部構造を適用した配管の開口部の閉塞部材の側面図、正面図である。
【符号の説明】
１０、１０ａ、１０ｂ：上層生地部（第１の生地部）、１１、１１ａ、１１ｂ：下層生地部（第２の生地部）、１２、１２ａ、１２ｂ：２重構造部、１３、１３ａ、１３ｂ：開口部、１４、１４ａ、１４ｂ：開口部、１５：抜き糸、１６：Ｕ字部、１７：曲線部、１８：直線部、１９：Ｕ字部、２０：直線部、２１：ストッキング、２２：手袋、２３、２３ａ：配管、２４：閉塞部材、２５：紐（固定具）
【図１】
0003615698.tif 000002
【図２】
0003615698.tif 000003
【図３】
0003615698.tif 000004
【図４】
0003615698.tif 000005
【図５】
0003615698.tif 000006
【図６】
0003615698.tif 000007
【図７】
0003615698.tif 000008